(57)【要約】【課題】吸上芯の挿入を容易とする中栓及び揮散装置を提供する。【解決手段】容器体１１の口部４２に装着される中栓４３に漏斗部７１を設け、漏斗部７１を天面５３より下方へ延出した大径円筒部７２と、大径円筒部７２の下縁より下方へ向かうに従って内側へ傾斜したテーパー部７３と、テーパー部７３の下縁より下方へ向けて延出した小径円筒部７４で構成する。小径円筒部７４を上下方向に延在する直線状に形成し、小径筒部７４の内側に吸上芯を垂直方向に案内する挿通穴９１を設ける。漏斗部７１の下部にガイド部１０１を設け、ガイド部１０１は小径円筒部７４の前方側の下縁より下方へ向けて延出する。ガイド部１０１を下方へ向かうに従って背面側へ向けて傾斜し、挿通穴９１を挿通した吸上芯４４を斜め方向に案内する。【選択図】図４
2015100649.tif 000002
【特許請求の範囲】
【請求項１】
液状薬剤を収容する容器体の口部に装着された中栓本体に吸上芯が挿通される中栓において、
前記吸上芯を挿通する際に該吸上芯を垂直方向に案内する挿通穴を前記中栓本体に設けるとともに、当該挿通穴を挿通した前記吸上芯を斜め方向に案内するガイド部を設けたことを特徴とする中栓。
【請求項２】
前記吸上芯を前記挿通穴に案内するテーパー状のテーパー部を設けたことを特徴とする請求項１記載の中栓。
【請求項３】
前記ガイド部で案内される前記吸上芯の下端部が前記容器体の背面側に配置されるように前記ガイド部を設けたことを特徴とする請求項１又は２記載の中栓。
【請求項４】
前記吸上芯が前記挿通穴内で傾斜するように当該挿通穴の内径を前記吸上芯の外径より大きく設定したことを特徴とする請求項１、２又は３記載の中栓。
【請求項５】
液状薬剤を収容する容器体と、該容器体の口部に装着される中栓と、該中栓に挿通される吸上芯とを備え、前記容器体内の前記液状薬剤を前記吸上芯で吸い上げて揮散する揮散装置において、
前記吸上芯を前記中栓に挿通する際に前記吸上芯を垂直方向に案内する挿通穴を前記中栓に設けるとともに、当該挿通穴を挿通した前記吸上芯を斜め方向に案内するガイド部を前記中栓に設けたことを特徴とする揮散装置。
【請求項６】
前記吸上芯を前記挿通穴に案内するテーパー状のテーパー部を前記中栓に設けたことを特徴とする請求項５記載の揮散装置。
【請求項７】
前記ガイド部で案内される前記吸上芯の下端部が前記容器体の背面側に配置されるように前記ガイド部を設けたことを特徴とする請求項５又は６記載の揮散装置。
【請求項８】
前記吸上芯が前記挿通穴内で傾斜するように当該挿通穴の内径を前記吸上芯の外径より大きく設定したことを特徴とする請求項５、６又は７記載の揮散装置。
【発明の詳細な説明】
【技術分野】
【０００１】
本発明は、液状薬剤を収容した容器体に装着される中栓及び該中栓を有した揮散装置に関する。
【背景技術】
【０００２】
従来、芳香剤などの液状薬剤を揮散する揮散装置が知られている（例えば、特許文献１参照。）。
【０００３】
この揮散装置は、容器体を備えてなり、該容器体には、前記液状薬剤が収容されている。前記容器体の口部には、ハット型形状の中栓が装着されており、該中栓には、吸上芯が挿通されている。該吸上芯の上端には、揮散体が設けられており、前記容器体内の前記液状薬剤を前記吸上芯で吸い上げて、前記揮散体から揮散できるように構成されている。
【０００４】
前記容器体は、その底面の中央部が上方へ向けて突出するように形成されている。このため、前記吸上芯の下端を前記底面の中央部に配置すると、前記底面の周縁部に貯留した液状薬剤を吸い上げることができず、残留してしまう。
【０００５】
そこで、この揮散装置では、前記中栓の底部に前記吸上芯を内嵌する円筒部が設けられており、該円筒部は、底部に対して斜めに延在している。これにより、当該円筒部を挿通する前記吸上芯は、その下端が前記底面の周縁部に配置されるように構成されている。
【先行技術文献】
【特許文献】
【０００６】
【特許文献１】実公平６−１３７３０
【発明の概要】
【発明が解決しようとする課題】
【０００７】
しかしながら、このような揮散装置にあっては、吸上芯を中栓に設けられた円筒部の傾斜角に合わせて正確に挿入する必要がある。
【０００８】
このとき、前記中栓の取付方向を正確に設定しないと、前記吸上芯の挿入方向が変わってしまい、吸上芯の装着に苦労を要するとともに、機械での挿入作業が困難となる。
【０００９】
また、円筒部の内径と吸上芯の外径がほぼ同じため、薬剤の揮散に伴い容器内部の減圧が生じてしまうので、減圧を防止する為の空気抜き孔を別途設ける必要がある。
【００１０】
本発明は、このような従来の課題に鑑みてなされたものであり、吸上芯の挿入を容易とする中栓及び揮散装置を提供することを目的とするものである。
【課題を解決するための手段】
【００１１】
前記課題を解決するために本発明の請求項１の中栓にあっては、液状薬剤を収容する容器体の口部に装着された中栓本体に吸上芯が挿通される中栓において、前記吸上芯を挿通する際に該吸上芯を垂直方向に案内する挿通穴を前記中栓本体に設けるとともに、当該挿通穴を挿通した前記吸上芯を斜め方向に案内するガイド部を設けた。
【００１２】
すなわち、容器体の口部に装着された中栓本体には、吸上芯を垂直方向に案内する挿通穴が設けられている。このため、前記吸上芯を中栓本体に挿通する際には、前記吸上芯を中栓本体に対して垂直に移動することで、当該吸上芯を前記挿通穴に挿通することができる。
【００１３】
そして、この挿通穴に挿入された前記吸上芯は、中栓に設けられたガイド部によって斜め方向に案内される。このため、前記吸上芯の下端部は、前記容器体底面の周縁部に案内される。
【００１４】
また、請求項２の中栓においては、前記吸上芯を前記挿通穴に案内するテーパー状のテーパー部を設けた。
【００１５】
すなわち、この中栓には、前記吸上芯を前記挿通穴に案内するテーパー状のテーパー部が設けられている。このため、前記テーパー部の開口部分に前記吸上芯を合わせて挿入するだけで、該吸上芯は、前記挿通穴に案内され挿入される。
【００１６】
さらに、請求項３の中栓では、前記ガイド部で案内される前記吸上芯の下端部が前記容器体の背面側に配置されるように前記ガイド部を設けた。
【００１７】
すなわち、前記ガイド部で案内される前記吸上芯は、その下端部が前記容器体の背面側に配置されるので、当該吸上芯は、口部に設けられた中栓本体より容器体の背面側へ向けて斜めに延在することとなる。
【００１８】
このため、前記吸上芯を容器体正面から見た際には、当該吸上芯は、上方からまっすぐ下方へ延出するように見えるので、前記吸上芯が前記中栓本体より前記容器体の側部へ向けて斜めに延在する場合と比較して、正面からの見栄えが向上する。
【００１９】
加えて、請求項４の中栓にあっては、前記吸上芯が前記挿通穴内で傾斜するように当該挿通穴の内径を前記吸上芯の外径より大きく設定した。
【００２０】
すなわち、前記挿通穴の内径は、前記吸上芯の外径より大きく設定されており、該吸上芯は、前記ガイド部で斜め方向に案内された際に前記挿通穴内で傾斜する。このため、前記挿通穴を挿通した前記吸上芯が前記ガイド部で斜め方向に案内される際に負荷がかからず、当該吸上芯の挿通作業に力が不要となる。
【００２１】
また、前記ガイド部で斜め方向にガイドされる際に、前記吸上芯の折れ曲がりが防止される。さらに、別途空気抜き孔を設ける必要が無い。
【００２２】
そして、本発明の請求項５の揮散装置にあっては、液状薬剤を収容する容器体と、該容器体の口部に装着される中栓と、該中栓に挿通される吸上芯とを備え、前記容器体内の前記液状薬剤を前記吸上芯で吸い上げて揮散する揮散装置において、前記吸上芯を前記中栓に挿通する際に前記吸上芯を垂直方向に案内する挿通穴を前記中栓に設けるとともに、当該挿通穴を挿通した前記吸上芯を斜め方向に案内するガイド部を前記中栓に設けた。
【００２３】
すなわち、容器体の口部に装着された中栓には、吸上芯を垂直方向に案内する挿通穴が設けられている。このため、前記吸上芯を前記中栓に挿通する際には、前記吸上芯を中栓に対して垂直に移動することで、当該吸上芯を前記挿通穴に挿通することができる。
【００２４】
そして、この挿通穴に挿入された前記吸上芯は、中栓に設けられたガイド部によって斜め方向に案内される。このため、前記吸上芯の下端部は、前記容器体底面の周縁部に案内される。
【００２５】
また、請求項６の揮散装置においては、前記吸上芯を前記挿通穴に案内するテーパー状のテーパー部を前記中栓に設けた。
【００２６】
すなわち、この中栓には、前記吸上芯を前記挿通穴に案内するテーパー状のテーパー部が設けられている。このため、前記テーパー部の開口部分に前記吸上芯を合わせて挿入するだけで、該吸上芯は、前記挿通穴に案内され挿入される。
【００２７】
さらに、請求項７の揮散装置では、前記ガイド部で案内される前記吸上芯の下端部が前記容器体の背面側に配置されるように前記ガイド部を設けた。
【００２８】
すなわち、前記ガイド部で案内される前記吸上芯は、その下端部が前記容器体の背面側に配置されるので、当該吸上芯は、口部に設けられた中栓より容器体の背面側へ向けて斜めに延在することとなる。
【００２９】
このため、前記吸上芯を容器体正面から見た際には、当該吸上芯は、上方からまっすぐ下方へ延出するように見えるので、前記吸上芯が前記中栓より前記容器体の側部へ向けて斜めに延在する場合と比較して、正面からの見栄えが向上する。
【００３０】
加えて、請求項８の揮散装置にあっては、前記吸上芯が前記挿通穴内で傾斜するように当該挿通穴の内径を前記吸上芯の外径より大きく設定した。
【００３１】
すなわち、前記挿通穴の内径は、前記吸上芯の外径より大きく設定されており、該吸上芯は、前記ガイド部で斜め方向に案内された際に前記挿通穴内で傾斜する。このため、前記挿通穴を挿通した前記吸上芯が前記ガイド部で斜め方向に案内される際に負荷がかからず、当該吸上芯の挿通作業に力が不要となる。さらに、別途空気抜き孔を設ける必要が無い。
【００３２】
また、前記ガイド部で斜め方向にガイドされる際に、前記吸上芯の折れ曲がりが防止される。
【発明の効果】
【００３３】
以上説明したように本発明の請求項１の中栓にあっては、容器体の口部に装着された中栓本体には、吸上芯を垂直方向に案内する挿通穴が設けられており、前記吸上芯を中栓本体に挿通する際には、前記吸上芯を中栓本体に対して垂直に移動することで、当該吸上芯を前記挿通穴に挿通することができる。
【００３４】
そして、この挿通穴に挿入された前記吸上芯は、中栓に設けられたガイド部によって斜め方向に案内することができるので、前記吸上芯の下端部を、前記容器体底面の周縁部に配置することができる。
【００３５】
このため、吸上芯を内嵌する円筒部が中栓の底部に斜めに設けられた構造上、前記吸上芯を前記円筒部の傾斜角に合わせて正確に挿入する必要があった従来と比較して、前記吸上芯の挿通作業が容易となる。
【００３６】
また、前記吸上芯を前記中栓本体に対して垂直に移動するだけで、挿通作業が行えるので、中栓の取付方向が多少ずれた場合であっても、前記吸上芯を挿通することができる。このため、機械による挿通作業も可能となる。
【００３７】
また、請求項２の中栓においては、前記吸上芯を前記挿通穴に案内するテーパー状のテーパー部が設けられている。このため、前記テーパー部の開口部分に前記吸上芯を合わせて挿入するだけで、当該吸上芯を、前記挿通穴に案内して挿入することができる。
【００３８】
これにより、吸上芯の挿通作業がさらに容易となる。
【００３９】
さらに、請求項３の中栓では、前記ガイド部で案内される前記吸上芯は、その下端部が前記容器体の背面側に配置されるので、当該吸上芯は、口部に設けられた中栓本体より容器体の背面側へ向けて斜めに延在することとなる。
【００４０】
このため、前記吸上芯を容器体正面から見た際に、当該吸上芯は、上方からまっすぐ下方へ延出するように見えるので、前記吸上芯が前記中栓本体より前記容器体の側部へ向けて斜めに延在する場合と比較して、正面からの見栄えが向上する。
【００４１】
これにより、外観品質を高めることができる。
【００４２】
加えて、請求項４の中栓にあっては、前記挿通穴の内径が前記吸上芯の外径より大きく設定されており、該吸上芯は、前記ガイド部で斜め方向に案内された際に前記挿通穴内で傾斜する。このため、前記挿通穴を挿通した前記吸上芯が前記ガイド部で斜め方向に案内される際に負荷がかからず、当該吸上芯の挿通作業に力が不要となる。
【００４３】
これにより、前記吸上芯の挿通作業がさらに容易となる。さらに、別途空気抜き孔を設ける必要が無い。
【００４４】
また、前記ガイド部で斜め方向にガイドされる際に、前記吸上芯の折れ曲がりを防止することができる。このため、前記吸上芯が硬い素材で形成された場合であっても、当該吸上芯の不要な折曲を防止することができ、液状薬剤の通水性を確保することができる。
【００４５】
そして、本発明の請求項５の揮散装置にあっては、容器体の口部に装着された中栓には、吸上芯を垂直方向に案内する挿通穴が設けられており、前記吸上芯を前記中栓に挿通する際には、前記吸上芯を中栓に対して垂直に移動することで、当該吸上芯を前記挿通穴に挿通することができる。
【００４６】
そして、この挿通穴に挿入された前記吸上芯は、中栓に設けられたガイド部によって斜め方向に案内することができるので、前記吸上芯の下端部を、前記容器体底面の周縁部に配置することができる。
【００４７】
このため、吸上芯を内嵌する円筒部が中栓の底部に斜めに設けられた構造上、前記吸上芯を前記円筒部の傾斜角に合わせて正確に挿入する必要があった従来と比較して、前記吸上芯の挿通作業が容易となる。
【００４８】
また、前記吸上芯を前記中栓に対して垂直に移動するだけで、挿通作業が行えるので、中栓の取付方向が多少ずれた場合であっても、前記吸上芯を挿通することができる。このため、機械による挿通作業も可能となる。
【００４９】
また、請求項６の揮散装置においては、前記吸上芯を前記挿通穴に案内するテーパー状のテーパー部が設けられている。このため、前記テーパー部の開口部分に前記吸上芯を合わせて挿入するだけで、当該吸上芯を、前記挿通穴に案内して挿入することができる。
【００５０】
これにより、吸上芯の挿通作業がさらに容易となる。
【００５１】
さらに、請求項７の揮散装置では、前記ガイド部で案内される前記吸上芯は、その下端部が前記容器体の背面側に配置されるので、当該吸上芯は、口部に設けられた中栓本体より容器体の背面側へ向けて斜めに延在することとなる。
【００５２】
このため、前記吸上芯を容器体正面から見た際に、当該吸上芯は、上方からまっすぐ下方へ延出するように見えるので、前記吸上芯が前記中栓より前記容器体の側部へ向けて斜めに延在する場合と比較して、正面からの見栄えが向上する。
【００５３】
これにより、外観品質を高めることができる。
【００５４】
加えて、請求項８の揮散装置にあっては、前記挿通穴の内径が前記吸上芯の外径より大きく設定されており、該吸上芯は、前記ガイド部で斜め方向に案内された際に前記挿通穴内で傾斜する。このため、前記挿通穴を挿通した前記吸上芯が前記ガイド部で斜め方向に案内される際に負荷がかからず、当該吸上芯の挿通作業に力が不要となる。
【００５５】
これにより、前記吸上芯の挿通作業がさらに容易となる。さらに、別途空気抜き孔を設ける必要が無い。
【００５６】
また、前記ガイド部で斜め方向にガイドされる際に、前記吸上芯の折れ曲がりを防止することができる。このため、前記吸上芯が硬い素材で形成された場合であっても、当該吸上芯の不要な折曲を防止することができ、液状薬剤の通水性を確保することができる。
【図面の簡単な説明】
【００５７】
【図１】本発明の第一の実施の形態を示す図であり、（ａ）は正面図で、（ｂ）は平面図である。
【図２】図１のＡ−Ａ線に沿った断面図である。
【図３】同実施の形態の中栓を示す図であり、（ａ）は平面図で、（ｂ）は（ａ）のＢ矢視図である。
【図４】同実施の形態の中栓を示す図であり、（ａ）は図３の（ａ）のＣ矢視図であり、（ｂ）は、断面図である。
【図５】本発明の第二の実施の形態を示す断面図である。
【発明を実施するための形態】
【００５８】
（第一の実施の形態）
【００５９】
以下、本発明の第一の実施の形態を図に従って説明する。
【００６０】
図１は、本実施の形態にかかる揮散装置１を示す図である。該揮散装置１は、液状薬剤を揮散する装置であり、液状薬剤としては、芳香剤や消臭剤や防虫剤等が挙げられる。
【００６１】
この揮散装置１は、無色透明の容器体１１を備えており、該容器体１１の上部には、蓋部１２が外嵌した状態で固定されている。該蓋部１２は、前記容器体１１に下縁部が外嵌した下部構成部１３と、該下部構成部１３に支持された上部構成部１４とによって構成されており、該上部構成部１４は、前記下部構成部１３に対して上下動可能に支持されている。
【００６２】
前記容器体１１は、図２にも示すように、液状薬剤２１を収容した容器本体２２を備えており、該容器本体２２は、図１及び図２に示したように、横長の略長方形状に形成された底面２３と、該底面２３の前縁より起立して前面を構成する正面２４と、前記底面２３の後縁より起立して後面と形成する背面２５と、前記底面２３の左縁より起立した左面２６と、前記底面２３の右縁より起立した右面２７とによって容器状に形成さている。
【００６３】
前記正面２４は、中央部が前方に突出した湾曲面で構成されており、前記背面２５は、中央部が後方に突出した湾曲面で構成されている。前記正面２４の曲率は、前記背面２５の曲率より大きく設定されており、前記正面２４の突出量が大きくなるように形成されている。前記底面２３の中央部には、上方へ向けて膨出形成された底面突出部３１が形成されており、当該底面２３は、前記底面突出部３１と、該底面突出部３１の外周部に設けられて平坦部３２とによって構成されている。
【００６４】
前記容器本体２２は、図２に示したように、上方へ向けて湾曲した容器天面４１を備えており、該容器天面４１には、当該容器本体２２の内部と外部とを連通する円筒状の口部４２が設けられている。該口部４２には、中栓４３が装着されており、該中栓４３には、吸上芯４４が挿通されている。
【００６５】
該吸上芯４４の上端部には、揮散体４５が配設されており、該揮散体４５は、前記蓋部１２の前記下部構成部１３に上下動可能に保持されている。この揮散体４５は、前記吸上芯４４に持ち上げられており、前記揮散体４５は、その自重により前記吸上芯４４の上端部と接触している。
【００６６】
これにより、前記容器体１１内の前記液状薬剤２１を前記吸上芯４４で前記揮散体４５に吸い上げられるように構成されており、該揮散体４５に吸い上げた前記液状薬剤２１を前記蓋部１２に設けられた揮散口４６，・・・から揮散できるように構成されている（図１参照）。
【００６７】
前記中栓４３は、図３及び図４にも示すように、中栓本体５１からなり、該中栓本体５１は、前記口部４２に内嵌される円筒部５２と、該円筒部５２の上縁に設けられた円形リング状の天面５３とを備えている。前記円筒部５２の周面には、二本の突条５４，５４が円周方向に延設されており、当該中栓本体５１を前記口部４２に内嵌した状態で、前記突条５４，５４が前記口部４２の内側面に密着するように構成されている。
【００６８】
前記天面５３の周縁部は、前記円筒部５２より外側に延出するように構成されており、当該中栓本体５１には、鍔部６１が一体形成されている。該鍔部６１は、図３の（ａ）に示すように、対称箇所が直線状に切欠されており、左切欠部６２と右切欠部６３とが形成されている。
【００６９】
これにより、当該中栓本体５１は、取付方向が定まるように構成されており、前記左切欠部６２が左方に位置するとともに前記右切欠部６３が右方に位置するように配置できるように構成されている。
【００７０】
前記天面５３の内側には、図４に示したように、漏斗状の漏斗部７１が一体形成されており、該漏斗部７１は、前記天面５３の内縁より下方へ向けて延出した大径円筒状の大径円筒部７２と、該大径円筒部７２の下縁より下方へ向かうに従って内側へ傾斜したテーパー状のテーパー部７３と、該テーパー部７３の下縁より下方へ向けて延出した小径円筒状の小径円筒部７４とによって構成されている。
【００７１】
前記テーパー部７３の中途部には、上下に貫通する貫通穴８１が前方側に設けられており、該貫通穴８１の下部には、当該貫通穴８１に連通する円筒状の突出部８２が形成されている。前記大径円筒部７２の外周面には、上下方向に延在する補強リブ８３が一体形成されており、該補強リブ８３は、前方側に突出するように構成されている。
【００７２】
これにより、当該中栓本体５１を前記口部４２に取り付けた際には、前記補強リブ８３及び前記貫通穴８１が前記容器本体２２の前記正面２４側に配置されるように構成されている（図２参照）。
【００７３】
前記小径円筒部７４は、上下方向に延在する直線状に形成されており、当該小径筒部７４の内側には、前記吸上芯４４を当該中栓本体５１に挿通する際に当該吸上芯４４を垂直方向に案内する挿通穴９１が形成されている（図２参照）。
【００７４】
前記漏斗部７１の下部には、横断面円弧状のガイド部１０１が一体形成されている。該ガイド部１０１は、前記小径円筒部７４の前方側の下縁より下方へ向けて延出しており、当該ガイド部１０１の上部には前記補強リブ８３の下部が一体形成され補強されている。このガイド部１０１は、下方へ向かうに従って前記背面２５側へ向けて傾斜して延出するように設けられており（図２参照）、前記挿通穴９１を挿通した前記吸上芯４４を斜め方向に案内するように構成されている。
【００７５】
このとき、前記中栓４３は、前記容器体１１への取付方向が定められており、前記ガイド部１０１が下方へ向かうに従って前記背面２５側へ傾斜するように設定されている。このため、このガイド部１０１で案内される前記吸上芯４４を、前記容器体１１の後方、すなわち前記背面２５側へ向けて案内できるように構成されており、当該吸上芯４４の下端部を前記底面２３の前記平坦部３２に配置できるように構成されている（図２参照）。
【００７６】
このガイド部１０１の後方部分は、前記小径円筒部７４に沿って垂直に切断されており、当該ガイド部１０１の後方部分の縁は、垂直に延在するように構成されている。これにより、当該中栓４３を、上下方向に型開きされる金型によって形成できるように構成されている。
【００７７】
そして、図２に示したように、前記中栓４３の前記小径円筒部７４が形成する前記挿通穴９１の内径寸法１１１は、該挿通穴９１を挿通する前記吸上芯４４の外形寸法１１２より大きく設定されており、前記吸上芯４４が前記挿通穴９１内で傾斜できるように構成されている。この傾斜状態において、前記吸上芯４４の周面が前記小径円筒部７４の前方側の上縁に当接するとともに当該小径円筒部７４の後方側の下縁に当接した状態で、前記吸上芯４４の下端が前記平坦部３２内に配置されるように設計されている。
【００７８】
以上の構成にかかる本実施において、容器体１１の口部４２に装着された中栓４３には、吸上芯４４を垂直方向に案内する挿通穴９１が設けられている。このため、前記吸上芯４４を前記中栓４３に挿通する際には、前記吸上芯４４を前記中栓４３に対して垂直に移動するだけで、当該吸上芯４４を前記挿通穴９１に挿通することができる。
【００７９】
そして、この挿通穴９１に挿入された前記吸上芯４４は、前記中栓４３に設けられたガイド部１０１によって斜め方向に案内することができる。このため、前記吸上芯４４の下端部を、前記容器体１１底面２３の周縁部に配置することができる。
【００８０】
したがって、吸上芯を内嵌する円筒部が中栓の底部に斜めに設けられた構造上、前記吸上芯を前記円筒部の傾斜角に合わせて正確に挿入する必要があった従来と比較して、前記吸上芯４４の挿通作業が容易となる。
【００８１】
また、前記吸上芯４４を前記中栓４３に対して垂直に移動するだけで、挿通作業が行えるので、前記中栓４３の取付方向が多少ずれた場合であっても、また、吸上芯４４の供給位置が多少ずれた場合であっても、前記吸上芯４４を挿通することができる。このため、機械による挿通作業も可能となる。
【００８２】
また、前記中栓４３には、前記吸上芯４４を前記挿通穴９１に案内するテーパー状のテーパー部７３が設けられている。このため、該テーパー部７３上方の開口部分に前記吸上芯４４を合わせて落とし込むだけで、当該吸上芯４４を、前記挿通穴９１に案内して挿入することができる。
【００８３】
これにより、前記吸上芯９１の挿通作業がさらに容易となる。
【００８４】
さらに、前記中栓４３には、前記ガイド部１０１が設けられており、該ガイド部１０１で案内される前記吸上芯４４の下端部を、前記容器体１１の背面２５側に配置することができる。これにより、前記吸上芯４４は、前記口部４２に装着された前記中栓４３より前記容器体１１の前記背面２５側へ向けて斜めに延在することとなる。
【００８５】
このため、前記吸上芯４４を前記容器体１１正面２４から見た際に、当該吸上芯４４は、上方からまっすぐ下方へ延出するように見えるので、前記吸上芯４４が前記中栓４３より前記容器体１１の側部へ向けて斜めに延在する場合と比較して、正面２４からの見栄えが向上する。
【００８６】
これにより、外観品質を高めることができる。
【００８７】
加えて、前記挿通穴９１の内径寸法１１１は前記吸上芯４４の外径寸法１１２より大きく設定されており、該吸上芯４４は、前記ガイド部１０１で斜め方向に案内された際に前記挿通穴９１内で傾斜する。このため、該挿通穴９１を挿通した前記吸上芯４４が前記ガイド部１０１で斜め方向に案内される際に負荷がかからず、当該吸上芯４４の挿通作業に力が不要となる。
【００８８】
これにより、前記吸上芯４４の挿通作業がさらに容易となる。
【００８９】
また、前記ガイド部１０１で斜め方向にガイドされる際に、前記吸上芯４４の折れ曲がりを防止することができる。このため、前記吸上芯１０１が硬い素材で形成された場合であっても、当該吸上芯４４の不要な折曲を防止することができ、液状薬剤２１の通水性を確保することができる。
【００９０】
（第二の実施の形態）
【００９１】
図５は、本発明の第二の実施の形態を示す図であり、第一の実施の形態と同一又は同等部分については、同符号を付して説明を割愛するとともに、異なる部分についてのみ説明する。
【００９２】
すなわち、中栓４３の小径円筒部７４が形成する挿通穴９１の内径寸法１１１は、該挿通穴９１を挿通する可撓性の吸上芯４４の外形寸法１１２と略同寸法に設定されている。これにより、前記小径円筒部７４に挿入された前記可撓性の吸上芯４４は、前記挿通穴９１に沿って垂直に延在するとともに、前記ガイド部１０１によって撓んで斜めに曲げられており、当該吸上芯４４の下端部を容器体１１底面２３の平坦部３２に配置できるように構成されている。
【００９３】
このような構成においては、前記吸上芯４４の上部は、垂直に延在しているので、上端部の全面を揮散体４５と接触させることができるので液状薬剤２１の供給量を落とすことなく、しかも確実に前記吸上芯４４を前記揮散体４５に接触させることができる。
【００９４】
なお、前記両実施の形態では、前記吸上芯４４の下端部は、前記容器体１１の背面２５側に配置される例について説明したが、これに限られず、たとえば前面２４側に配置される場合であっても同様の効果を得ることができる。また、前記容器体１１が不透明の場合には、前記吸上芯４４の下端部が左右の側面２６，２７側に配置されても、また左右の斜め後ろ、斜め前に配置されても構わない。
【符号の説明】
【００９５】
１    揮散装置
１１    容器体
２１    液状薬剤
２５    背面
４２    口部
４３    中栓
５１    中栓本体
７３    テーパー部
９１    挿通穴
１０１    ガイド
１１１    内径寸法
１１２    外形寸法
【図１】
2015100649.tif 000003
【図２】
2015100649.tif 000004
【図３】
2015100649.tif 000005
【図４】
2015100649.tif 000006
【図５】
2015100649.tif 000007